(57)【要約】【課題】鞍乗型車両の後部の重量を軽くし、かつ鞍乗型車両の後部のデザイン性を高める。【解決手段】鞍乗型車両のシート支持構造１において、グラブバー２１はブリッジ部材６を介してシートレール３に固定されている。グラブバー２１には、後部シートの下面に設けられた複数のシート支持部を載置し、かつこれらシート支持部を介して後部シートから伝わる荷重を受けるための複数の荷重受け部３１、３２、３３が設けられている。また、後ろ側荷重受け部３３は、シートレール３の後端部よりも後ろ側に位置している。また、グラブバー２１には、後部シートをグラブバー２１に係止するための係止部３４が設けられている。【選択図】図３
2019031229.tif 000002
【特許請求の範囲】
【請求項１】
鞍乗型車両のシート支持構造であって、
前記鞍乗型車両の後部上側において前後方向に伸長するシートフレームと、
前記鞍乗型車両の運転者以外の同乗者が座るための、または前記鞍乗型車両の運転者および当該運転者以外の同乗者が座るためのシートと、
前記シートに座った前記同乗者が手で握って体を支えるためのグラブバーとを備え、
前記シートには、当該シートを支持するための部材であって、当該シートの下面に配置され、当該シートの下面から下方へ突出する複数のシート支持部が設けられ、
前記グラブバーは直接または中間部材を介して前記シートフレームに固定され、
前記グラブバーには、前記複数のシート支持部を載置し、かつ前記複数のシート支持部を介して前記シートから伝わる荷重を受けるための複数の荷重受け部が設けられていることを特徴とするシート支持構造。
【請求項２】
前記複数の荷重受け部のうちの少なくとも１つは、前記シートフレームの後端部よりも後ろ側に位置していることを特徴とする請求項１に記載のシート支持構造。
【請求項３】
前記シートフレームは、前記鞍乗型車両の後部上側の左側および右側にそれぞれ配置された一対のシートレールを備え、
前記一対のシートフレームの後端部には、当該一対のシートフレーム同士を連結するブリッジ部材が設けられ、
前記グラブバーは前記ブリッジ部材に固定されていることを特徴とする請求項１または２に記載のシート支持構造。
【請求項４】
前記グラブバーには、前記シートを前記グラブバーに係止するための係止部が設けられていることを特徴とする請求項１ないし３のいずれかに記載のシート支持構造。
【発明の詳細な説明】
【技術分野】
【０００１】
本発明は鞍乗型車両のシート支持構造に関する。
【背景技術】
【０００２】
例えば自動二輪車等の鞍乗型車両には、シート、およびシートを車両本体側に支持するための構造を備えたシート支持構造が設けられている。
【０００３】
従来のシート支持構造は、車体フレームの一部として、鞍乗型車両の後部上側の左側および右側を後方へそれぞれ伸長する一対のシートレールと、複数のラバークッション（またはゴム足）が底面に設けられたシートとを備え、複数のラバークッションを一対のシートレールの上面に接触させることにより、シートを一対のシートレール上に載置する構成を有している。
【０００４】
例えば、下記の特許文献１に記載された自動二輪車は、一対のシートレールと、前後に２人乗車が可能なタンデムシートとを備えている。タンデムシートのシート底板には複数のラバーが設けられており、タンデムシートはこれらのラバーを一対のシートレールに当接させることにより一対のシートレール上に支持されている。
【０００５】
また、下記の特許文献２に記載された自動二輪車のシート装置は、運転者用の前部シートと同乗者用の後部シートとを備えている。前部シートの底板および後部シートの底板には複数のクッションゴムがそれぞれ設けられている。そして、当該シート装置は、前部シートおよび後部シートのこれらのクッションゴムをタンクフレームの上面、タンクフレームに設けられたステーの上面およびシートフレームの上面にそれぞれ載置する構成を有している。
【先行技術文献】
【特許文献】
【０００６】
【特許文献１】特許第５６８５４５９号公報
【特許文献２】特許第４５０４５３９号公報
【発明の概要】
【発明が解決しようとする課題】
【０００７】
ところで、鞍乗型車両の後ろ上側の部分、すなわち、鞍乗型車両において、後輪の上方であって、後部シート、テールランプ、グラブバー等が設けられる部分を短くし、または幅の狭い形状とし、あるいは尻窄まりの形状とすることで、鞍乗型車両の後部の重量を軽くすることができ、かつ鞍乗型車両の後部のデザイン性を高めることができる。
【０００８】
具体的には、各シートレールを短縮して鞍乗型車両の後ろ上側の部分を短くすることで、各シートレールを軽量化することができ、よって鞍乗型車両の後部の重量を軽くすることができ、かつ鞍乗型車両の後部のデザインを軽快な印象を与えるデザインにすることができる。また、シートレールの後部の間隔を小さくし、それに伴って後部シートを小型化することにより、鞍乗型車両の後ろ上側の部分を幅の狭い形状または尻窄まりの形状にすることができる。これにより、後部シートの小型化によって鞍乗型車両の後部の重量を軽くすることでき、かつ鞍乗型車両の後部のデザインをシャープなデザインにすることができる。
【０００９】
しかしながら、従来のシート支持構造では、シートの底面に設けられた複数のラバークッションを一対のシートレールの上面に接触させることにより、シートを一対のシートレール上に載置する構成を有している。このため、シートレールを短くし、またはシートレールの間隔を小さくすると、シート（具体的にはタンデムシートまたは後部シート）をシートレール上に安定した状態で載置することが困難となる。
【００１０】
本発明は例えば上述したような問題に鑑みなされたものであり、本発明の課題は、鞍乗型車両の後部の重量を軽くすることができ、かつ鞍乗型車両の後部のデザイン性を高めることができるシート支持構造を提供することにある。
【課題を解決するための手段】
【００１１】
上記課題を解決するために、本発明は、鞍乗型車両のシート支持構造であって、前記鞍乗型車両の後部上側において前後方向に伸長するシートフレームと、前記鞍乗型車両の運転者以外の同乗者が座るための、または前記鞍乗型車両の運転者および当該運転者以外の同乗者が座るためのシートと、前記シートに座った前記同乗者が手で握って体を支えるためのグラブバーとを備え、前記シートには、当該シートを支持するための部材であって、当該シートの下面に配置され、当該シートの下面から下方へ突出する複数のシート支持部が設けられ、前記グラブバーは直接または中間部材を介して前記シートフレームに固定され、前記グラブバーには、前記複数のシート支持部を載置し、かつ前記複数のシート支持部を介して前記シートから伝わる荷重を受けるための複数の荷重受け部が設けられていることを特徴とする。
【発明の効果】
【００１２】
本発明によれば、鞍乗型車両の後部の重量を軽くすることができ、かつ鞍乗型車両の後部のデザイン性を高めることができる。
【図面の簡単な説明】
【００１３】
【図１】本発明の実施例のシート支持構造等を側方から見た外観図である。
【図２】本発明の実施例のシート支持構造における後部シートの下面を示す外観図である。
【図３】本発明の実施例のシート支持構造において後部シートを取り外した状態を示す斜視図である。
【図４】本発明の実施例のシート支持構造におけるグラブバーを示す外観図である。
【図５】本発明の実施例のシート支持構造において後部シートをグラブバー上に載置する様子を示す説明図である。
【発明を実施するための形態】
【００１４】
本発明の実施形態のシート支持構造は、シートフレーム、シートおよびグラブバーを備えている。
【００１５】
シートフレームは、鞍乗型車両の車体フレームの一部を構成し、鞍乗型車両の後部上側において前後方向に伸長するフレームである。シートフレームは、例えば一対のシートレールである。
【００１６】
シートは、鞍乗型車両の運転者以外の同乗者が座るためシート（例えば前部シートとは別体に形成された後部シート）、および鞍乗型車両の運転者および当該運転者以外の同乗者が座るためのシート（例えばタンデムシートのように前部シートと後部シートとが一体に形成されたもの）のいずれでもよい。また、シートには、当該シートを支持するための部材であって、当該シートの下面に配置され、当該シートの下面から下方へ突出する複数のシート支持部が設けられている。
【００１７】
グラブバーは、シートに座った同乗者が手で握って体を支えるための部材である。グラブバーは直接または中間部材を介してシートフレームに固定されている。中間部材は、例えば、一対のシートフレーム同士を連結するブリッジ部材である。また、グラブバーには、複数のシート支持部を載置し、かつ複数のシート支持部を介してシートから伝わる荷重を受けるための複数の荷重受け部が設けられている。
【００１８】
本発明の実施形態のシート支持構造によれば、例えばシートフレームを短縮化した場合でも、またはシートフレームの後部の幅を小さくした場合でも、そのようなシートフレームにグラブバーを固定し、そのグラブバーの荷重受け部にシートのシート支持部を載置することができ、これによりシートを安定した状態で車両本体側へ取り付けることができる。例えば、シートフレームを短縮化し、またはシートフレームの後部の幅を小さくした場合でも、シートに加わる荷重の分布等に応じてグラブバーの複数の荷重受け部の配置を適宜に設定することにより、シートを安定した状態で支持することが可能となる。したがって、シートフレームを短縮化し、または後部シートを小型化することができ、よって、鞍乗型車両の後部の重量を軽くすることができ、かつ鞍乗型車両の後部のデザイン性を高めることができる。
【００１９】
また、シートフレームを短縮化し、またはシートフレームの後部の幅を小さくした場合において、グラブバーを利用してシートを安定した状態で支持することができるので、シートを安定した状態で支持するための専用の支持部材を追加する必要がない。したがって、部品の増加を防止することができ、よって、鞍乗型車両の後部の軽量化を実現することができ、また、鞍乗型車両の製造工数の増加を防止することができる。
【実施例】
【００２０】
図１は本発明の実施例のシート支持構造１を示している。なお、以下、部材や部品、装置の形状や配置等を説明するに当たって前、後、左、右、上、下の方向を述べる際には、鞍乗型車両を運転する運転者を基準とする。図１において、本実施例のシート支持構造１は、自動二輪車の後部シート１２を車両本体側に支持する構造に関するものである。シート支持構造１は、一対のシートレール３、ブリッジ部材６、後部シート１２およびグラブバー２１を備えている。
【００２１】
各シートレール３は、鞍乗型車両の車体フレームの一部を構成する部材であり、例えば、鋼鉄製のパイプである。一対のシートレール３は、鞍乗型車両の後部上側の左側および右側にそれぞれ配置されている。鞍乗型車両の後部左側において、左側のシートレール３は、その前端部が、車体フレームの一部を構成する左側のメインフレーム２の後部に接続され、後端側は鞍乗型車両の後方へ伸長している。また、左側のメインフレーム２の後端部にはサブフレーム５が連結されており、当該サブフレーム５と左側のシートレール３の後部との間には補強フレーム４が設けられている。当該補強フレーム４により、左側のシートレール３の後部が強固に支持されている。鞍乗型車両の後部右側にもこれと同様のフレーム構造が形成されている。すなわち、右側のシートレール３の前端部が右側のメインフレームの後部に接続され、右側のシートレール３の後端側が鞍乗型車両の後方へ伸長している。また、右側のシートレール３は、右側サブフレームと右側のシートレール３の後部との間に設けられた補強フレームにより強固に支持されている。また、左側および右側のそれぞれの補強フレーム４には、後部シート１２に座った同乗者が足を置くタンデムステップ７が設けられている。
【００２２】
ブリッジ部材６は、一対のシートレール３の後端部同士を連結する部材であり、金属板により形成されている。ブリッジ部材６の左部は左側のシートレール３の後端部に例えば溶接またはボルト締めにより固定されており、ブリッジ部材６の右部は右側のシートレール３の後端部に例えば溶接またはボルト締めにより固定されている。また、本実施例のブリッジ部材６は、略四角形の金属板の両端部を折り曲げることにより形成されており、当該ブリッジ部材６は、前後左右に拡がる大きな面を有する板部６Ａと、板部６Ａの左右両端部から下方へそれぞれ伸長する脚部６Ｂとを有している。そして、それぞれの脚部６Ｂの下端部が左側および右側のシートレール３にそれぞれ固定されている。これにより、ブリッジ部材６の板部６Ａは、各シートレール３の後端部よりも高い位置に配置されている。
【００２３】
後部シート１２は、鞍乗型車両の運転者以外の同乗者が座るためのシートである。後部シート１２は、各シートレール３の後部上方に位置し、後述するように、ブリッジ部材６に固定されたグラブバー２１により支持されている。
【００２４】
ここで、図２は後部シート１２の下面を示している。図２において、後部シート１２は、底板１３上にクッション材を設け、クッション材を表皮１４で覆うことにより形成されている。また、底板１３の下面には複数のシート支持部、すなわち、一対の前側シート支持部１５、一対の中間シート支持部１６、および１つの後ろ側シート支持部１７が設けられている。各シート支持部１５、１６、１７は、後部シート１２をグラブバー２１上において支持するための部材である。各シート支持部１５、１６、１７は、例えばゴムにより形成され、底板１３の下面から下方へ突出している。なお、各シート支持部１５、１６、１７として、例えばゴム足（これはクッションラバーまたはダンパーラバー等と呼ばれることもある）等を用いることができる。前側シート支持部１５は、後部シート１２の底板１３の下面の前部における左側と右側にそれぞれ配置されている。中間シート支持部１６は、底板１３の下面の前後方向中間部よりもやや後ろ側における左側と右側にそれぞれ配置されている。後ろ側シート支持部１７は、底板１３の下面の後端部において左右方向中央に配置されている。また、本実施例では、各前側シート支持部１５および各中間シート支持部１６は横断面形状が円形であり、後ろ側シート支持部１７は横断面形状が長方形または楕円形である。
【００２５】
また、後部シート１２の底板１３の下面には係止フック１８が設けられている。係止フック１８は、後部シート１２の後部をグラブバー２１に固定するための部材であり、後部シート１２をグラブバー２１上に置いたときにグラブバー２１の係止部３４に係止される。係止フック１８は、底板１３の下面の前後方向中間部よりもやや後ろ側における左右方向中央に配置されている。係止フック１８は、その基端側が底板１３にねじ等により固定され、先端側が底板１３の下面から下方に突出した後、湾曲し、後方に伸長している（図５参照）。
【００２６】
また、後部シート１２の底板１３の下面にはシート側ロック機構１９が設けられている。シート側ロック機構１９は、後部シート１２の前部をグラブバー２１に着脱可能に固定するための部材であり、後部シート１２をグラブバー２１上に置いたときに車体側ロック機構４１（図１参照）に着脱可能に係止される。シート側ロック機構１９は、底板１３の下面の前端部における左右方向中央に配置されている。一方、車体側ロック機構４１は、前部シート１１の後方に位置し、例えば各シートレール３にブラケット等を介して固定されている。
【００２７】
なお、前部シート１１は、鞍乗型車両の運転車が座るためのシートであり、各シートレール３の前後方向中間部の上方に配置されている。前部シート１１と後部シート１２とは前後方向において隣接して配置されている。
【００２８】
一方、グラブバー２１は、後部シート１２に座った同乗者が手で握って体を支えるため部材である。ここで、図３はグラブバー２１がブリッジ部材６に固定された状態を示し、図４はグラブバー２１を示している。また、図５は後部シート１２をグラブバー２１上に載置する様子を示している。図３に示すように、グラブバー２１はブリッジ部材６を介して各シートレール３に固定されている。すなわち、グラブバー２１は、ブリッジ部材６上に設けられ、具体的には、ブリッジ部材６の板部６Ａの上面にボルト２５を用いて固定されている。また、グラブバー２１は、高い剛性を有し、加工し易く、かつ軽量な材料により形成することが望ましい。本実施例のグラブバー２１はこのような性質を有する例えばアルミニウムにより形成されている。
【００２９】
グラブバー２１は、同乗者が手で握る部分である把持部２２を有している。把持部２２は、左側のシートレール３の後端部上方から、左側および右側のシートレール３の上方かつ後方を通り、右側のシートレール３の後端部上方に至っている。把持部２２は、後部シート１２の後縁側の湾曲した形状に沿うように緩やかに湾曲している。図１において破線で示したように、後部シート１２をグラブバー２１上に載置したとき、後部シート１２の後部が把持部２２の内側に入り込む。しかし、後部シート１２の後縁部と把持部２２の後縁部との間には隙間が形成されている。例えば同乗者は、この隙間に下方から図１中の矢印Ａが示す方向に手を入れ、把持部２２の後縁部を握ることにより体を支えることができる。
【００３０】
グラブバー２１は、当該グラブバー２１をブリッジ部材６に固定するための一対の固定部２３を備えている。一対の固定部２３は、図３に示すように、把持部２２の左端部および右端部にそれぞれ設けられている。左側の固定部２３は、把持部２２の左端部に一体形成され、当該左端部から右方に伸長している。また、右側の固定部２３は、把持部２２の右端部に一体形成され、当該右端部から左方に伸長している。また、各固定部２３には、図４に示すように、ボルト２５を通すための複数の孔２４が形成されている。また、ブリッジ部材６の板部６Ａにおいて、グラブバー２１の各固定部２３の各孔２４と対応する位置にも孔が形成されている。グラブバー２１の各固定部２３の各孔２４と、ブリッジ部材６の板部６Ａの各孔とを重ね合わせ、それらの孔に上方からボルト２５を挿入し、当該ボルト２５に、ブリッジ部材６の板部６Ａの下側からナットを締着することにより、グラブバー２１がブリッジ部材６の板部６Ａの上面に固定されている。
【００３１】
また、グラブバー２１において、左側の固定部２３および右側の固定部２３の後端部には、これらの固定部２３間を連結し、かつこれら固定部２３から後方へ張り出した張出部２６が設けられている。張出部２６は、左側および右側の固定部２３のそれぞれの後端部から、各シートレール３の後端部よりも後ろ側であって、後部シート１２の後端部の下方の位置に至るまで後方へ伸長している。張出部２６は左側の固定部２３および右側の固定部２３と一体形成されている。
【００３２】
また、グラブバー２１は、後部シート１２のシート支持部１５、１６、１７を載置するための複数の荷重受け部、すなわち、一対の前側荷重受け部３１、一対の中間荷重受け部３２、および１つの後ろ側荷重受け部３３を有している。これらの荷重受け部３１、３２、３３は、後部シート１２のシート支持部１５、１６、１７を介して後部シート１２から伝わる荷重を受ける機能を有している。
【００３３】
一対の前側荷重受け部３１は、左側の固定部２３の前端部の上面、および右側の固定部２３の前端部の上面にそれぞれ形成されている。一対の前側荷重受け部３１は、後部シート１２の一対の前側シート支持部１５と対応する位置に配置されている。また、一対の中間荷重受け部３２は、左側の固定部２３の後端部（張出部２６の左前端部）の上面、および右側の固定部２３の後端部（張出部２６の右前端部）の上面にそれぞれ形成されている。一対の中間荷重受け部３２は、後部シート１２の一対の中間シート支持部１６と対応する位置に配置されている。また、後ろ側荷重受け部３３は、張出部２６の後端であって左右方向中央部の上面に形成されている。後ろ側荷重受け部３３は、後部シート１２の後ろ側シート支持部１７と対応する位置に配置されている。また、各荷重受け部３１、３２、３３の表面は、後部シート１２のシート支持部１５、１６、１７の先端部を安定した状態で載置できるように平面に形成されている。
【００３４】
図５に示すように、鞍乗型車両を側方から見た場合に、各前側荷重受け部３１および各中間荷重受け部３２はシートレール３の後端部の上方に位置している。これに対し、後ろ側荷重受け部３３は、鞍乗型車両を側方から見た場合に、各シートレール３の後端部よりも後ろ側に位置している。すなわち、後ろ側荷重受け部３３は各シートレール３の最後端部Ｐよりも後ろ側に位置している。
【００３５】
また、グラブバー２１は、後部シート１２をグラブバー２１に係止するための係止部３４を有している。係止部３４は、例えば、図４に示すように、張出部２６の左右方向中央部に設けられている。係止部３４は、後部シート１２をグラブバー２１上に載置したときに、後部シート１２の係止フック１８の先端側が引っ掛かるように板状に形成され、張出部２６から前方に突出している。また、係止部３４は、鞍乗型車両を側方から見た場合に、前後方向において各シートレール３の最後端部Ｐと同等の位置、またはこの最後端部Ｐよりも後ろ側に位置している。
【００３６】
運転者、同乗者、またはメンテナンス作業者等は、後部シート１２の係止フック１８をグラブバー２１の係止部３４に引っ掛けつつ、後部シート１２の各前側シート支持部１５、各中間シート支持部１６および後ろ側シート支持部１７と、グラブバー２１の各前側荷重受け部３１、各中間荷重受け部３２および後ろ側荷重受け部３３とのそれぞれの位置を合わせ、後部シート１２のシート側ロック機構１９を車体側ロック機構４１に係止させて、ロックさせる。これにより、後部シート１２の各前側シート支持部１５、各中間シート支持部１６および後ろ側シート支持部１７が、グラブバー２１の各前側荷重受け部３１、各中間荷重受け部３２および後ろ側荷重受け部３３上に載置された状態で、後部シート１２がグラブバー２１に支持され、固定される。
【００３７】
以上説明した通り、本発明の実施例のシート支持構造１は、グラブバー２１に設けられた各前側荷重受け部３１、各中間荷重受け部３２および後ろ側荷重受け部３３に後部シート１２の各前側シート支持部１５、各中間シート支持部１６および後ろ側シート支持部１７を載置することによって、後部シート１２をグラブバー２１により支持する構成を有している。これにより、例えば各シートレール３を短縮化した場合でも、または一対のシートレール３の後部の間隔を小さくした場合でも、そのようなシートレール３のそれぞれにグラブバー２１を固定し、そのグラブバー２１により後部シート１２を支持することができる。したがって、後部シート１２を安定した状態で鞍乗型車両に取り付けることができる。それゆえ、シートレール３を短縮化し、または後部シート１２を小型化することができ、よって、鞍乗型車両の後部の重量を軽くすることができ、かつ鞍乗型車両の後部のデザイン性を高めることができる。
【００３８】
また、シート支持構造１によれば、後ろ側荷重受け部３３が、シートレール３の最後端部Ｐよりも後ろ側に位置しているので、後部シート１２の後端部から伝わる荷重を後ろ側荷重受け部３３により受け、後部シート１２を安定した状態で支持することができ、かつ各シートレール３を短くすることができる。これにより、各シートレール３を軽量化することができ、よって、鞍乗型車両の後部の重量を軽くすることができ、かつ鞍乗型車両の後部のデザインを軽快な印象を与えるデザインにすることができる。
【００３９】
また、シート支持構造１によれば、後部シート１２の荷重を受ける荷重受け部３１、３２、３３をグラブバー２１の固定部２３または張出部２６に設けたことにより、荷重受け部３１、３２、３３の位置の設定の自由度を高めることができる。例えば、同乗者が後部シート１２に座って鞍乗型車両を走行させたときに後部シート１２に加わる荷重の分布や方向等に応じて荷重受け部３１、３２、３３の位置を適切に設定することができる。これにより、後部シート１２を安定させることができる。
【００４０】
また、シート支持構造１では、一対のシートレール３の後端部同士を連結するブリッジ部材６にグラブバー２１を固定する構成とした。これにより、各シートレール３の補強に必要なブリッジ部材６を利用してグラブバー２１を固定することができるので、グラブバー２１を固定するための専用のブラケット等が不要となる。したがって、鞍乗型車両の部品点数を削減することができ、よって、鞍乗型車両の軽量化を図ることができる。
【００４１】
また、シート支持構造１によれば、後部シート１２をグラブバー２１に係止するための係止部３４をグラブバー２１に設ける構成としたから、各シートレール３を短くし、または一対のシートレール３の後部の間隔を小さくした場合でも、後部シート１２を安定した状態で鞍乗型車両に着脱可能に固定することができる。
【００４２】
なお、上述した実施例では、本発明のシート支持構造を、自動二輪車の後部シート１２を車両本体側に支持する構造に適用する場合を例にあげたが、本発明はこれに限らない。本発明のシート支持構造は、タンデムシートのように前部シートと後部シートとが一体化したシートを車両本体側に支持する構造にも適用することができる。
【００４３】
また、上述した実施例では、グラブバー２１を、ブリッジ部材６を介してそれぞれのシートレール３に固定する構成としたが、グラブバー２１を例えばボルト等を用いてそれぞれのシートレール３に直接固定してもよい。また、グラブバー２１を、ブラケットを用いてそれぞれのシートレール３に固定してもよい。また、鞍乗型車両の後部に固定された他の部品にグラブバー２１を固定してもよい。
【００４４】
また、本発明のシート支持構造におけるグラブバーの把持部の形状や配置は限定されない。例えば、把持部を左側のシートレール３の後端部上方から右側のシートレール３の後端部上方に向けて、これらのシートレール３の後端部の後方または上方を湾曲しながら左右に伸長するパイプにより形成してもよいし、把持部が左側のシートレール３の後端部の左方および右側のシートレール３の後端部の右方にそれぞれ張り出すような形状としてもよい。
【００４５】
また、後部シート１２のシート支持部の個数や配置は実施例のものに限定されず、グラブバー２１の荷重受け部の個数や配置も実施例のものに限定されない。後部シート１２に加わる荷重の分布等に応じて、これらの個数や配置を実施例と異なるように定めてもよい。例えば、シートレール３の最後端部よりも後ろ側に２つ以上荷重受け部を配置してもよい。
【００４６】
また、上述した実施例では、後部シート１２に係止フック１８を設け、グラブバー２１に、この係止フック１８を引っ掛ける平板状の係止部３４を設ける例をあげたが、後部シート１２をグラブバー２１に係止させる機構はこれに限らない。例えば、グラブバー２１に係止フックを設け、後部シート１２に係止フックを引っ掛ける係止部を設けてもよい。また、グラブバー２１に、後部シート１２を着脱可能にロックするロック機構を設けてもよい。
【００４７】
また、本発明は、自動三輪車、バギー車等、自動二輪車以外の他の種類の鞍乗型車両にも適用することができる。
【００４８】
また、本発明は、請求の範囲および明細書全体から読み取ることのできる発明の要旨または思想に反しない範囲で適宜変更可能であり、そのような変更を伴う鞍乗型車両のシート支持構造もまた本発明の技術思想に含まれる。
【符号の説明】
【００４９】
１  シート支持構造
３  シートレール（シートフレーム）
６  ブリッジ部材（中間部材）
１２  後部シート（シート）
１３  底板
１５  前側シート支持部
１６  中間シート支持部
１７  後ろ側シート支持部
２１  グラブバー
２２  把持部
２３  固定部
２６  張出部
３１  前側荷重受け部
３２  中間荷重受け部
３３  後ろ側荷重受け部
３４  係止部
４１  車体側ロック機構
【図１】
2019031229.tif 000003
【図２】
2019031229.tif 000004
【図３】
2019031229.tif 000005
【図４】
2019031229.tif 000006
【図５】
2019031229.tif 000007